(57)【特許請求の範囲】
【請求項１】
補給経路を介して賞球タンクより供給されるパチンコ球を受止しつつ誘導する球受止部を周囲に有し回動自在な球誘導回動体と該球誘導回動体を可逆転式に回転させる駆動手段とを備え前記球誘導回動体を駆動手段により可逆転的に回転させてパチンコ球補給経路からの各パチンコ球を複数のパチンコ球払出経路のうちの何れかに振分け払出しするパチンコ球払出装置を具備すると共に、該パチンコ球払出装置に、払出されるパチンコ球が上方からの力を受けているときには払出すパチンコ球の受止位置を下方に変位させる受止位置変位手段を設けたパチンコ遊技機において、
前記球誘導回動体の回動軸受けと前記駆動手段とを弾性体を介して上下動自在に支持し、上方からの力を受けたときには前記球誘導回動体、前記回動軸受及び前記駆動手段が下降し、前記上方からの力がなくなったときには弾性体の反発力によって前記球誘導回動体、前記回動軸受及び前記駆動手段が上昇するようにしたことを特徴とするパチンコ遊技機。
【発明の詳細な説明】
【技術分野】
【０００１】
本発明は、パチンコ遊技機に関し、さらに詳しくは、パチンコ球補給経路からの遊技球を複数のパチンコ球払出経路のうちの何れかに振分け払出しする球払出装置を備えるパチンコ遊技機に関するものである。
【背景技術】
【０００２】
従来、一般に知られているように、パチンコ遊技機は、遊技盤面に設けられる各種入賞口に遊技球が入賞すると、その入賞信号を受けて遊技機内に設けられる賞品球払出装置によりその各入賞口に応じた所定個数の賞品球が遊戯者に払出されるようになっている。
【０００３】
また近年、プリペードカード使用によるパチンコ遊技機も知られており、このカード式のパチンコ遊技機の場合には、各遊技機に備え付けられるプリペードカードによる玉貸機（以下、「プリペードカードユニット」と称する）にプリペードカードを挿入し、金額設定ボタンの操作により貸し出し金額を決めて球貸出しボタンを押すと、その貸し出し金額に応じた所定個数の貸し球が遊戯者に払出されるようになっている。
【０００４】
本発明はプリペードカード式パチンコ遊技機に限られるわけではないが、例えば、プリペードカード式パチンコ遊技機の場合に、賞品球と貸し球とを個別に計数して管理するために、賞品球払出経路と貸し球払出経路とを個別に設け、補給経路から供給される各遊技球をこれら複数の経路のうちのどちらかに振り分けて払出す球払出装置を設けたものが知られている。
【０００５】
図２０は、従来の球払出装置の断面図を示している。図２０の（ａ）は球払出装置の払出動作が休止しているとき又は払出動作中の状態を示し、図２０の（ｂ）は（ａ）に示す状態から払出を行なう際の動作途中の球払出装置内部の状態を示す。該球払出装置は補給経路１５０から供給される各遊技球を２つの球払出経路１４３、１４４のどちらかに誘導して払出すものである。
【０００６】
前記補給経路１５０の下部開口端の下方に回転ディスク体１４１が設けられる。この回転ディスク体１４１は正逆転両方向に回転自在に設けられ、その回転軸には図示していない可逆転式のステッピングモータが連繋されている。このステッピングモータの駆動により前記回転ディスク体１４１は、正転あるいは逆転方向に回転駆動される。この回転ディスク体１４１の周縁には前記補給経路１５０より供給される遊技球を受止する球受孔１４２イ，１４２ロ，１４２ハが開設されている。
【０００７】
そして、回転ディスク体１４１が時計回りに回転される時には、球受孔１４２イ、ロ又はハに受止された遊技球は時計回りに誘導され落下して、球払出経路１４３に払出される。また、回転ディスク体１４１が反時計回りに回転される時には、球受孔１４２イ、１４２ロ又は１４２ハに受止された遊技球は反時計回りに誘導され落下して、球払出経路１４４に払出される。
【０００８】
この場合に、球払出装置の休止時又は払出中には、上方に位置している回転ディスク体の球受止部１４２イが回転ディスク体１４１の回転中心の真上方向に開口しない状態で遊技球１５５ａを受止し、払出される遊技球１５５ａが回転ディスク体１４１の回転中心の真上に位置しないことが起こる。
【０００９】
例えば、図２０（ａ）に示すように、球受止部１４２イに受止される遊技球１５５ａが回転ディスク体１４１の回転中心の真上から左へ外れた位置において払出動作を待っている状態から、その遊技球１５５ａをその反対の右の球払出経路１４３に払出す場合がある。
【００１０】
そのために、遊技球１５５ａは、回転ディスク体１４１の球受止部１４２イに誘導されて、回転ディスク体１４１の回転中心の真上から左へ外れた位置から、図２０（ｂ）に示すように回転ディスク体１４１の回転中心の真上を通過して右方の払出経路１４３に落下する必要があるが、その遊技球１５５ａの上方にある遊技球１５５ｂの一部が、図２０（ａ）中鎖線の円弧で示す遊技球１５５ａの進路内に存在するので、球受止部１４２イに受止されている遊技球１５５ａがそのように移動するには、遊技球１５５ａの上にある遊技球１５５ｂ、１５５ｃ・・・を、遊技球１５５ａのこの移動に必要な分だけ（この場合、図中ｄで示す分だけ）一旦押し上げなければならない。
【００１１】
そのため、球誘導回動体１４１に対し上方からの球圧が一時的に駆動手段の回転しようとする方向と反対の方向に働くように作用し、駆動手段はその作用力に対抗して球誘導回動体１４１を回転駆動し、遊技球は球受止部１４２イによって時計回りに誘導されて、排出経路１４３に排出される。
【発明の開示】
【発明が解決しようとする課題】
【００１２】
従って、前記のように球受止部に受止される遊技球の中心が球誘導回動体の回転中心の真上を外れた位置にある状態から、その遊技球の外れた方向と反対の方向にその遊技球を誘導して球払出経路に払出すにあたり、球誘導回動体を駆動する駆動手段は大きな回転力を必要とされ、また、必要とされる回転力の変動幅も大きいので、球誘導回動体はスムーズに回転せず、場合によっては、球誘導回動体の駆動手段の回転駆動力が不足して、払出不能に陥ることもある。
【００１３】
本発明の解決しようとする課題は、遊技球の払出しの際の遊技球を誘導する際の球誘導回動体の回転抵抗及び回転抵抗の変動を軽減させ、球誘導回動体が常にスムーズに回転するようにし、駆動装置に必要とされる回転力を軽減することができ、払出要求に従い遊技球を確実に払出すことができるパチンコ遊技機を提供することにある。
【課題を解決するための手段】
【００１４】
この課題を解決するために本発明に係るパチンコ遊技機は、補給経路を介して賞球タンクより供給されるパチンコ球を受止しつつ誘導する球受止部を周囲に有し回動自在な球誘導回動体と該球誘導回動体を可逆転式に回転させる駆動手段とを備え前記球誘導回動体を駆動手段により可逆転的に回転させてパチンコ球補給経路からの各パチンコ球を複数のパチンコ球払出経路のうちの何れかに振分け払出しするパチンコ球払出装置を具備すると共に、該パチンコ球払出装置に、払出されるパチンコ球が上方からの力を受けているときには払出すパチンコ球の受止位置を下方に変位させる受止位置変位手段を設けたパチンコ遊技機において、前記球誘導回動体の回動軸受けと前記駆動手段とを弾性体を介して上下動自在に支持し、上方からの力を受けたときには前記球誘導回動体、前記回動軸受及び前記駆動手段が下降し、前記上方からの力がなくなったときには弾性体の反発力によって前記球誘導回動体、前記回動軸受及び前記駆動手段が上昇するようにしたことを要旨とするものである。
【００１５】
上記構成を有するパチンコ遊技機によれば、たとえ球受止部に受止される遊技球の中心が球誘導回動部の回転中心の真上を外れた位置にあって次の払出動作を待っている状態から、その遊技球をその外れた方向と反対の方の球払出経路に払出す場合であっても、その払出す遊技球よりも上にある遊技球の球圧により、球誘導回動体、回転軸受及び駆動手段が一群となって下方に移動するので、その払出す遊技球よりも上にある遊技球を押し上げることなく払出す遊技球を誘導し、払出要求に応じた球払出経路に払出しする。
【００１６】
そしてこのようにして、駆動手段は、払出す遊技球よりも上の遊技球を持ち上げるための駆動力が不要となり、回転を妨げる方向へ受ける力が小さいので、必要とされる駆動力が少なくて済むとともに回転抵抗の変動が小さい。従って、球誘導回動部は駆動手段によりスムーズに回動するようになり、払出不能になることがなくなる。
【発明の効果】
【００１７】
本発明の請求項１に記載のパチンコ遊技機によれば、球受止部を周囲に有する球誘導回動体を可逆転的に回転させて遊技球を複数のパチンコ球払出経路のうちの何れかに振分け払出しをする球払出装置を、球誘導回動体が上方からの力を受けたときには、球誘導回動体、回転軸受及び駆動手段が一群となって下方に移動するように構成されているので、払出が行なわれる遊技球はその上方にある遊技球を持ち上げることなく、又は少し持ち上げて移動して賞球として払出されることになるので、その際に、球誘導回動体が上方の遊技球から受ける回転を妨げる方向の力は、軽減されることとなる。
【発明を実施するための最良の形態】
【００１８】
以下、本発明の好適な実施の形態を図面を参照して詳しく説明する。図１は、本実施例のパチンコ遊技機の正面図、図２はその外観斜視図を示したものである。パチンコ遊技機１０は、パチンコ機本体側部を構成する外枠１１と、パチンコ機前面部のベースとなる内枠１２とを備え、その内枠１２の額縁状に形成された開口内周縁には金枠１３が嵌められると共に、その金枠１３には遊技盤１４の前面を覆うガラス扉１５が開閉可能に設けられる。
【００１９】
そしてガラス扉１５の下方位置には、球発射装置に供給される遊技球を貯留するための受け皿（上受け皿）１６が取り付けられ、更にその下方には、賞品球の排出時に上受け皿１６から溢れた遊技球を貯留するための球受け皿（下受け皿）１７が設けられている。尚、上受け皿１６に設けられる球抜けボタン１８の操作により上受け皿１６内の遊技球が下受け皿１７に向けて抜き落とされる。
【００２０】
下受け皿１７の図中右側位置には、遊技球を遊技盤１４面に向けて弾発発射する発射レバー２０が設けられ、この発射レバー２０には遊技球を一球毎に発射する為の単発スイッチ２１が備えられる。発射レバー２０の回動操作する量に応じて遊技球を遊技盤１４面に向けて弾発発射する程度が調整されるとともに、所定回動位置の検出により発射電源が投入されるようになっている。
【００２１】
前記内枠１２の上辺縁から図中右側辺縁には、合成樹脂製のレンズ体で構成される枠トップ飾り２３が設けられ、この枠トップ飾り２３の内部には、枠飾りランプ２４，２４…や前記ガラス扉１５開閉用の鍵穴２５の周囲を飾る鍵飾りランプ２６が設けられている。
【００２２】
パチンコ遊技機１０の一側には、プリペイドカードによる玉貸機（以下、「プリペイドカードユニット」と称する）３０が設置される。このプリペイドカードユニット３０は、１台の遊技機に１台づつ設置される。このプリペイドカードユニット３０の設置に対応してパチンコ遊技機１０の前記上受け皿１６には、プリペイドカードによる遊技球の貸出し操作を行う為の球貸し操作部３１が設けられ、この球貸し操作部３１には、プリペイドカードによる球貸出しを操作する球貸出しボタン３２、その球貸出しの可能状態を示す球貸出しボタンランプ３３、プリペイドカードを排出させるカード返却ボタン３４、プリペイドカードの残高表示、及びエラー表示を行う度数表示部３５等が備えられている。
【００２３】
プリペイドカードの使用に際しては、プリペイドカードユニット３０に備えられるカード利用可表示ランプ３６の点灯中にカード挿入口３７にプリペイドカードを挿入し、金額設定ボタン３８を操作することにより、貸出し金額（１００円、２００円、３００円、５００円等）を選択することができる。前記上受け皿１６に備えられる球貸し操作部３１の球貸出しボタン３２を操作することにより、予め選択された金額の遊技球が貸出されることになる。
【００２４】
前記内枠１２の前面に設けられる遊技盤１４は、遊技板に装着された金属製の内レール４１、打球槌により球発射位置より弾発発射された遊技球を盤面に向けて誘導する為の外レール４２、打球位置及び発射レールより転動し遊技盤面に至った遊技球の跳ね返り作用のより再び打球が発射レールや打球位置に戻ることを防止するファール止４３、打球位置より転動してきた過大な飛送力を有する遊技球を遊技板右上部において衝撃を吸収しつつ停止阻止し遊技板面下に向けて落下させる返しゴム４４等によりその周囲が構成され、その内側に遊技領域が形成される。
【００２５】
図３は、その遊技盤面を拡大して示したものである。遊技盤１４の遊技領域の中央やや上方には特別図柄表示装置５０が設けられ、その中央部に３つの特別図柄表示部（図中左から順に左図柄表示部５０Ａ、中図柄表示部５０Ｂ、右図柄表示部５０Ｃが設けられる。この特別図柄表示装置５０の各図柄表示部５０Ａ、５０Ｂ、５０Ｃには、夫々「１、２、３、４、５、６、７、８、９」までの数字と、４種類のキャラクタ図柄等により合計１３種類の図柄が表示されるようになっている。
【００２６】
この特別図柄表示装置５０の真下位置には、遊技球の入賞により特別図柄表示装置５０の各図柄５０ａ、５０ｂ、５０ｃの図柄変動を開始させる普通電動役物である可変翼タイプの第１種始動入賞口５１が設けられ、更にその下方位置には、通常は閉じている特別電動役物である大入賞口５２と、該大入賞口５２が開放された時に入賞可能となる特定領域入賞口５３とを備える。
【００２７】
更に遊技盤１４面には前記大入賞口５２の左右位置に、普通入賞口である左落し入賞口５４、右落し入賞口５５が設けられると共に、その上方位置には左袖入賞口５６、右袖入賞口５７が各々備えられる。これらの各入賞口に遊技球が入賞すると第１種始動入賞口５１及び左右落し入賞口５４，５５、左右袖入賞口５６においては５個、右袖入賞口５７においては７個、大入賞口５２及び特定領域入賞口５３においては１３個の賞品球が各々払出されるように構成されている。
【００２８】
また、前記特別図柄表示装置５０の周囲を囲む装飾枠体５８の上部に形成された半円弧形状の装飾枠部には、７セグメントのデジタル表示により表示される普通図柄表示装置６０が備えられる。この普通図柄表示装置６０には、「０」〜「９」までの数字が表示される。そして、前記特別図柄表示５０の左右位置に、左ゲート６１、右ゲート６２が設けられ、これら左右ゲート６１，６２への遊技球の通過に伴って、普通図柄表示装置６０が図柄変動を開始するように構成されている。
【００２９】
そして、前記左右ゲート６１，６２を通過した遊技球は、装飾枠体５８の内部を通過した後、下側枠縁上に誘導される。この装飾枠体５８の内枠縁部はすり鉢状に構成され、その中央にはモータ駆動による誘導部材６３が設けられる。装飾枠体５８に誘導されてきた遊技球はこの誘導部材６３により遊技盤１４面を再び落下される。
【００３０】
尚、この遊技盤１４面には、前記図柄表示装置や入賞口等のほかに、遊戯者によって弾発発射された遊技球の落下方向を無作為に変更させたり、その流下速度を変化させる風車６４、６４及びランプ風車６５、６５等が設けられている。これにより、弾発発射された遊技球は遊技盤１４面の遊技域内で転動しつつ下方へ落下して行き、上記した各装置及び入賞口に入賞するか、何処にも入賞しなければ遊技域の最下部の設けられた排出口６６にて遊技盤１４の裏側へ排出される。
【００３１】
図４は、パチンコ遊技機の裏面図を示し、図５はその外観斜視図を示したものである。パチンコ遊技機１０の裏面に設けられる機構板７６面の上方位置に、遊技場の島から供給される遊技球を一時貯留する賞球タンク７７が設けられると共に、その賞球タンク７７に連設されてタンクレール７８が設けられ、このタンクレール７８の賞品球流下端部位に球払出装置８０が連設されている。
【００３２】
タンクレール７８には、前記賞球タンク７７やタンクレール７８上の遊技球の補給状態により作動される補給スイッチ８１が設けられ、又、球払出装置８０の直前において賞品球の球切れを検出し球払出しの空動作を防止する為の空切り防止スイッチ８２が設けられている。さらに球払出装置８０より払出された賞品球がパチンコ遊技機内に充満した場合にこれを検出する満タンスイッチ８３、あるいは遊技機内に遊技球が充満した時に遊技球の払出しを一旦停止させる満タンストッパ８４等も備えられている。
【００３３】
機構板７６には遊技盤１４面の各入賞口に入った入賞球（セーブ球）を一球毎に球切りして検出するセーフ球排出機構部８５も設けられ、このセーフ球排出機構部８５により検出されたセーブ球はこの後機外へ排出されるようになっている。又、遊技盤１４の裏面は中央カバー８６に覆われている各セーフ球誘動樋を介してセーフ球排出機構部８５へ導出される。
【００３４】
この機構板７６には、各種の制御基板が取付けられている。例えば、プリペイドカードに係わる情報をパチンコ遊技機１０の外部において処理するプリペイドカードユニット３０と遊技機本体とを電気的に接続するＣＲ外部接続端子基板８７を含む外部接続端子９７、発生したセーフ球の種別に応じて所定個数の賞品球を前記球払出装置８０に払出動作させたり、球貸出しボタン３２の操作による球貸出し要求信号に基づいてその賞品球払出機構部８０に貸し球の払出しを動作させる回路が装着されたＣＲ賞球払出制御基板８８、該ＣＲ賞球払出制御基板８８とプリペイドカードユニット３０との間に設けられ、プリペイドカードユニット３０に挿入されたプリペイドカードの情報と、パチンコ遊技機１０の前面に設けられた球貸し操作部３１への球貸し要求信号と球貸し状態を表示する度数表示情報と、球貸し情報に基づいてＣＲ賞球払出制御部を司令制御する情報との授受を行うカードインターフェイス基板８９が設けられている。
【００３５】
また前記ＣＲ外部接続端子基板８７、カードインターフェイス基板８９、ＣＲ賞球払出制御基板８８相互間においてカードデータ処理に係わる信号を中継するＣＲ中継基板９０、パチンコ遊技機１０の遊技盤１４面で発生したセーフ球を検出して特別図柄表示装置５０を駆動制御し、その特別図柄の表示態様を設定切り替え制御し、入賞の種別に対応して所定個数の賞品球の払出しをＣＲ賞球払出制御部へ指令する等を行う主制御基板９１等がこの機構板７６に取付けられている。そしてこれら独立してそれぞれ組み付けられた各種基板がパチンコ遊技機に組み付けられた後、コネクタ配線により互いに脱着可能に電気接続されている。パチンコ遊技機１０の外部のプリペイドカードユニット３０と遊技機本体との間の情報の入出力は、カードインターフェイス接続部９２を介して行われる。
【００３６】
前記ＣＲ賞球払出制御基板８８は、賞品球の不足欠乏、及び供給状態、排出状態の異常を検出し、払出動作の停止と、表示動作も合わせて行われるもので、ここにはＣＲ賞球払出制御基板８８や球払出装置８０等の賞球払出制御機構において遊技球の不足、球詰まり、回路操作異常、ソフトエラー等の異常が発生した場合にその旨を表示するエラー表示部９３、あるいはエラー状態が解除された場合に前記エラー表示部９３を初期状態に復帰リセットさせるエラー表示リセットボタン９４が設けられている。
【００３７】
また前記主制御基板９１には、特定図柄表示装置５０に於いて発生する当たりの出現状態（確率）を３個のＬＥＤにて表示する設定表示ＬＥＤ９５、あるいは前記当たりの出現確率を所定条件下のみ切替え可能に設定する為の確率モード設定スイッチ９６が設けられている。
【００３８】
パチンコ遊技機１０で発生した各種情報は機構板７６の上部片隅に設けられる外部接続端子９７を介して遊技機外部の遊技場管理装置へ出力される。特別図柄表示装置５０の図柄若しくは入賞装置の始動回数、所定図柄の確定により発生する大当たりの発生回数、遊技者に特別な利益状態を継続させる継続情報、当該パチンコ遊技機における当たりの出現確率、不正検出信号等の各種情報がこの外部接続端子９２を介して入出力されることになる。
【００３９】
更に機構板７６の裏面下方隅寄り位置には、前記上受け皿１６に供給された遊技球を遊技盤１４面に向けて弾発発射するための打球発射装置１００が備えられている。この打球発射装置１００は、打球発射モータ１０１のほか、発射装置制御回路、打球槌、弾発力調整手段等により構成される。タッチ感度調整ボリューム１０２は、遊技者の打球発射操作ハンドルへの接触を検出して打球発射モータ１０１の電源を投入するタッチスイッチ回路の検出感度を調整する為に設けられ、又、遊技球発射調整ダイヤル１０３は、遊技盤１４面へ向けての遊技球弾発力、飛走距離をパチンコ遊技機の裏面側で調整設定する為に設けられている。
【００４０】
打球発射装置１００に近接して発射装置制御基板１０４が設けられ、これには打球発射モータ１０１の駆動制御回路及びタッチスイッチ回路が含まれている。打球発射モータ１０１の駆動制御回路では、モータの回転速度、トルク、特に１分間に発射する打球間隔、速度等が設定されている。
【００４１】
尚、このパチンコ遊技機１０は電源プラグ１０６を介してＡＣ１００Ｖ電源に接続されている。また前記外部接続端子９７より引き出されたリード線１０７は、コネクタ１０８及び電源プラグ１０９を介してＡＣ２４Ｖ電源に接続されている。
【００４２】
図６は、遊技盤１４面の各入賞口やゲートを通過した遊技球の遊技盤面における流出経路及び各種スイッチ類やソレノイド類等の配置状態を示した図である。図示されるように、前記第１種始動入賞口５１に落入した遊技球の流出経路には第１種始動口用検知スイッチ１１０が設けられ、また前記大入賞口５２における入賞球の流出経路にはその入賞球数をカウントするカウント用スイッチ１１１が設けられ、更に前記特定領域入賞口５３における入賞球の流出経路にはその入賞を検知する特定領域用スイッチ１１２が設けられる。更に前記左右ゲート６１，６２における遊技球通過経路にはその通過を検知する左ゲート用スイッチ１１３及び右ゲート用スイッチ１１４が設けられている。
【００４３】
更に、第１種始動入賞口５１を開閉動作する普通電動役物用ソレノイド１１５、大入賞口５２を開閉動作させる大入賞口開放用ソレノイド１１６、特定領域入賞口５３を開閉動作させる特定領域開放用ソレノイド１１７が設けられ、装飾枠体５８の内側下部に設けられた誘導部材６３を上下動作するための誘導部材駆動用モータ１１８も設けられる。
【００４４】
一方、前記右袖入賞口５７における入賞球の流出経路には入賞検出用スイッチ１１９が設けられ、前記左右落し入賞口５４，５５及び左袖入賞口５６における入賞球の流出経路には入賞検出用スイッチは設けられていないが、セーフ球排出機構部８５においてセーフ球がセーフ球排出ソレノイド１２０により１個づつ排出される間にセーフ球検出スイッチ１２１により入賞球の合計個数がカウントされるので、その個数差分だけ５個ずつの賞球が払出されるようになっている。
【００４５】
この制御形態を発展させれば、普通入賞口への入賞により例えば５個払出するものとし、始動入賞口への入賞により例えば６個払出するものとし、大入賞口に設けられた特別入賞領域該入賞口への入賞により例えば７個払出するものとし、大入賞口に設けられた計数領域への入賞により例えば８個払出するものとし、遊技盤面に配設される入賞装置に対し格別に設けられた入賞口への入賞により例えば９個又は１０個払出するものとして、夫々の入賞口を区別して異なる個数の賞品球を払出す場合には、全ての入賞口への入賞時に共通する基本払出動作（５個払出）に加えて、各入賞口への入賞に応じて、前記始動入賞口へ球が落入した場合には追加払出（１個追加）を、前記大入賞口特別入賞領域へ球が落入した場合には追加払出（２個追加）を、前記大入賞口計数領域へ球が落入した場合には追加払出（３個追加）を、前記入賞装置へ球が落入した場合には追加払出（４個又は５個の追加）の動作を実行する命令を出すようにＣＲ賞球払出制御基板８８を構成することも可能である。
【００４６】
また、基本払出個数を始動入賞口に対応する払出個数（例えば６個）や大入賞口内の計数領域に対応する払出個数（例えば８個）として、払出個数が基本払出個数よりも少ない入賞口へ入賞したときには各入賞口に対応する差数分だけ払出個数を減らし、払出個数が基本払出個数よりも多い入賞口へ入賞したときには各入賞口に対応する差数分だけ払出個数を加える制御をするようにＣＲ賞球払出制御基板８８を構成することも可能である。。
【００４７】
ちなみに、このパチンコ遊技機１０の遊技内容を、図７に示した制御フローチャートに基づいて説明する。この遊技機１０では、遊技者によって遊技盤１４面に向けて発射された遊技球がゲート６１，６２の何れかを通過したことが左右ゲートスイッチ１１３，１１４により検知される（Ｓ１０「ＹＥＳ」）と、その信号に基づいて普通図柄変動装置６０が図柄変動を開始する（Ｓ１２）。そしてこの普通図柄表示装置６０は図柄変動を開始してから６．０秒を経過するとその図柄変動を停止し、変動図柄が確定する（Ｓ２４）。この確定図柄のうち、いわゆる「当たり」と称される図柄が出れば（Ｓ２６「ＹＥＳ」）、主制御基板９１からの指令信号により遊技盤１４面の第１種始動入賞口５１が開放される（Ｓ２８）。
【００４８】
そして、この開放された第１種始動入賞５１に遊技球が入賞する（Ｓ３０「ＹＥＳ」）と、第１種始動入賞口用スイッチ１１０からの検出信号に基づき特別図柄表示装置５０の各図柄５０Ａ、５０Ｂ、５０Ｃが順に図柄変動を開始する（Ｓ３２）。この特別図柄表示装置５０は「大当たり」が発生する低確率と高確率の２段階の抽選確率を有し、抽選確率が低確率の場合（Ｓ３４「ＹＥＳ」）は５．８秒経過後に図柄変動を停止し（Ｓ４０）、高確率の場合（Ｓ３４「ＮＯ」）は、それよりも短い５．０秒経過後に図柄変動が停止される（Ｓ３８）。
【００４９】
この特別図柄表示装置５０の各図柄５０Ａ、５０Ｂ、５０Ｃに表示される確定図柄の組合せによって「大当たり」と称する遊技状況が発生し、「大当たり」図柄の組合せが出た場合（Ｓ４２「ＹＥＳ」）は、条件装置が作動し、その「大当たり」図柄の組合せがいわゆる通常図柄（非特定図柄）の場合は大入賞口５２が開放状態を繰り返す連続作動回数は最大１６回に設定され（Ｓ４４「ＹＥＳ」、Ｓ４８）、「大当たり」図柄の組合せがいわゆる特定図柄の場合は、その大入賞口５２が開放状態を繰り返す連続作動回数が最大１４回に設定され（Ｓ４４「ＮＯ」、Ｓ５０）、更にその条件装置の作動停止から次の作動開始まで特別図柄表示装置５０に係る抽選確率は高確率へと移行する。
【００５０】
そしてこの条件装置の作動によって大入賞口５２が開放状態にあるときに、この大入賞口５２に遊技球が入賞する（Ｓ５２「ＹＥＳ」）と、１個の入賞球（セーフ球）に対して１３個の賞球が払出される（Ｓ５４）。この大入賞口５２は１個につき約２０秒間開放状態を維持し、その間にセーフ球が１０個入賞したことがカウント用スイッチ１１１からの検知信号により確認される（Ｓ６４「ＹＥＳ」）と、時間経過前にも閉じるようになっている（Ｓ６２）。また、大入賞口５２の開放に伴って特定領域入賞口５３が開放されるが、大入賞口５２の開放の間にこの特定領域入賞口５３に遊技球が１個入賞する（Ｓ５６「ＹＥＳ」）と、特定領域入賞検出用スイッチ１１２からの検出信号に基づき特定領域入賞口５３は閉じられ、これに伴って大入賞口５２も閉じられる（Ｓ５８）。
【００５１】
そして連続役物作動回数に達したか否かが判定され（Ｓ６０）、まだ連続作動回数に達していない場合には、再度大入賞口５２が開放される。この連続役物作動には、大入賞口５２の開放中及び第１種特別電動役物の作動終了後、約２．０秒以内に遊技球が特定領域入賞口５３を通過することによって大入賞口５２が閉じられた後、再度大入賞口５２が開放されるものである。
【００５２】
そして、所定の連続作動回数が終了するまで前記大入賞口５２の開放状態と閉じた状態を繰り返し（Ｓ６０「ＮＯ」）、所定連続回数回数が終了すると大入賞口５２は閉じられる（Ｓ６０「ＹＥＳ」、Ｓ６２）。また、特定領域入賞口５３に遊技球が入賞しなかった場合（Ｓ５６「ＮＯ」）は、大入賞口５２が開放状態になってから約２０秒経過した後、或いは大入賞口５２に遊技球が１０個入賞することにより大入賞口５２は閉じられ（Ｓ６４「ＹＥＳ」、Ｓ６２）、これらの条件を満たすまでは第１種特別電動役物の作動を繰り返し（Ｓ６４「ＮＯ」）、一連の動作は終了する（Ｓ６６）。
【００５３】
一方、Ｓ１０において遊技盤１４面に向けて発射された遊技球が、ゲート６１、６２を通過しなかった（Ｓ１０「ＮＯ」）が、遊技盤１４面に設けられる何れかの入賞口５４〜５７等に入賞する（Ｓ１６「ＹＥＳ」）か、或いはゲートを通過した後に何れかの入賞口に入賞した場合には、入賞検出用スイッチ１１９，或いはセーフ球検出スイッチ１２１からの検知信号に基づき入賞球１個につき５個又は７個の賞球が払出される（Ｓ１８）。なお、何処の入賞口にも入賞しない場合は「はずれ」として処理される（Ｓ２０）。また、Ｓ４２において特別図柄表示装置５０の変動図柄の確定により「大当たり図柄が出なかった場合（Ｓ４２「ＮＯ」）」も「はずれ」として処理される（Ｓ４６）。
【００５４】
図８は賞品球の払出経路と入賞球（セーフ球）の払出経路との位置関係を図示したものである。前述したことと一部重複するが、タンクレール７８の球流路下端部に遊技球払出樋１２２と球抜き樋１２３とが分岐して設けられ、遊技球払出樋１２２の下流位置に前記球払出装置８０が設けられる。そして、その球払出装置８０より遊戯者に払出される遊技球（これは後に詳述するが、遊技盤１４面の各種入賞口に入賞することによって払出される賞品球の場合と、プリペードカード使用によって払出される貸し球の場合の両方がある。）がクッションローラ１２４を介して賞球保留部１２５に一時的に保留され、通常は球出口１２６より上受け皿１６へ払出され、上受け皿１６が満杯になったときは賞球通路樋体１２８を介して下受け皿１７へ払出されるようになっている。
【００５５】
図９は、図８に示した遊技球の払出機構及びそれに隣接して設けられる球抜機構の構成を拡大して示したものである。図示されるように、遊技球払出樋１２２と分岐して設けられる球抜き樋１２３の上流端には、賞品タンク７７やタンクレール７８に貯留される遊技球の球抜き装置１３０が設けられる。この球抜き装置１３０は賞球タンク７７やタンクレール７８上の遊技球を賞品払出機構部（球払出装置）８０へ誘導する遊技球払出樋１２２との分岐位置において、遊技球の球抜き開口部１３１が設けられ、その球抜き開口部１３１に球抜き片１３２が支軸１３３を介して開閉自由に設けられている。そしてその球抜き片１３３に設けられる重鍾（バランサ）１３４により賞球タンク７やタンクレール７８上に遊技球が存在しない時には球抜き開口部１３１が閉じられている。
【００５６】
そしてこの球抜き開口部１３１を開閉を規制するストッパ部材１３５が支軸１３６を介して回動自在に設けられ、そのストッパ部材１３５に設けられる係合爪１３７が球抜き片１３２に係脱自在に係合されることにより賞球タンク７７やタンクレール７８上に遊技球が存在していても球抜き片１３２から不用意に開放されることがないように規制されている。さらに前記ストッパ部材１３５の球抜き片１３２との係合を解除する球抜き作動レバー１３８の作動ピン１３９が前記ストッパ部材１３５に係合された構成とされている。
【００５７】
したがってこの球抜きレバー１３８をこの遊技機の管理者が図中手前に引くことにより作動ピン１３９によりストッパ部材１３５が押し下げられ、係合爪１３７が球抜き片１３２から外されることにより球抜き片１３２上の遊技球の荷重によって球抜き片１３２が押し開かれ、賞球タンク７７やタンクレール７８上の遊技球が球抜き開口部１３１より球抜き樋１２３へ流出されるようになっている。
【００５８】
図１０及び図１１は、前述の球払出装置８０の外観を示したものである。図１０は球払出装置の正面図、図１１（ａ）は球払出装置の側面図、図１１（ｂ）は球払出装置の底面図を示している。球払出装置８０は、賞球タンクレール７８及び遊技球払出樋１２２が２列であることに対応して図示のように２本の球補給経路１５０ａ、１５０ｂを上部に有する。この図において、遊技球払出樋１２２の下流に位置する球補給経路１５０ａ，１５０ｂの下方開口端の下方に球誘導回動体１５１ａ，ｂが回動自在に設けられ、その中心孔には可逆転式のステッピングモータ１６０の回転軸が貫通して取り付けられる。
【００５９】
そしてこのステッピングモータ１６０の駆動により前記球誘導回動体１５１ａ及びｂは、賞球払出時回転方向へ駆動されたときには遊技球が賞球払出経路１５３ａ及び１５３ｂへ払出され、貸し球払出時回転方向へ駆動されたときには遊技球が貸し球払出経路１５４ａ及び１５４ｂへ払出される。２つの球誘導回動体１５１ａ，１５１ｂはそれ自身は同じ構成を有するが、ステッピングモータ軸１６２に取りつけられる方向が回転方向に６０度異なっている。
【００６０】
ステッピングモータ１６０の回転軸先端部には円筒の一方の開口端にスロットを設けた形状を有するモータ位置検出用ロータ１６１が取り付けられ、また、該モータ位置検出用ロータ１６１の周囲にモータ位置検出用センサー１５９が取り付けられ、これによりステッピングモータ１６０の回転軸の回転角度が逐次検出される。
【００６１】
賞球排出経路１５３ａには賞球計数用センサー１５７ａが、賞球排出経路１５３ｂには賞球計数用センサー１５７ｂが、貸し球排出経路１５４ａには貸し球計数用センサー１５８ａが、貸し球排出経路１５４ｂには貸し球計数用センサー１５８ｂが夫々設けられており、これにより夫々の排出経路の遊技球の通過が独立して検出される。
【００６２】
図１２は、図１０及び図１１に示したパチンコ球払出装置８０の断面図であり、（ａ）はＨ−Ｈ線断面図、（ｂ）は、Ｉ−Ｉ線断面図、（ｃ）はＪ−Ｊ線断面図である。球補給経路１５０ａから補給される遊技球は、球誘導回動体１５１ａの球受止部１５２ａイ、１５２ａロ又は１５２ａハに受止され、球誘導回動体１５１ａの回転により誘導されて賞球払出経路１５３ａ又は貸し球払出経路１５４ａに払出され、球補給路１５０ｂから補給される遊技球は、球誘導回動体１５１ｂの球受止部１５２ｂイ、１５２ｂロ又は１５２ｂハに受止され、球誘導回動体１５１ｂの回転により誘導されて賞球払出経路１５３ｂ又は貸し球払出経路１５４ｂに払出される。
【００６３】
例えば、ステッピングモータ１６０が賞球払出回転方向（図中矢示Ａ方向）に回転したときは、球誘導回動体１５１ａ及びｂが賞球払出回転方向（図中矢示Ａ方向）に回転し、各遊技球は賞球払出経路１５３ａ又は１５３ｂに落下して払出され、賞球計数用センサー１５７ａ又は１５７ｂによりその払出しを検出され、ステッピングモータ１６０が貸し球払出回転方向（図中矢示ｂ方向）に回転したときは、球誘導回動体１５１ａ及び１５１ｂが貸し球払出回転方向（図中矢示Ｂ方向）に回転し、遊技球は貸し球払出経路１５４ａ又は１５４ｂに落下して払出され、貸し球計数用センサー１５８ａ又は１５８ｂによりその払出しを検出される。
【００６４】
図１３は、上述した各種制御基板の電気的接続関係を示す制御ブロック図である。この制御ブロック図でもわかるように、特別図柄表示装置５０及び普通図柄表示装置６０を含む表示ブロックは主制御基板９１に接続され、主制御基板９１からの指令信号により作動される。また遊技盤１４面に設けられる飾りランプやＬＥＤ等の飾りブロック、あるいは第１種始動入賞口５１や大入賞口５２等の電動役物を含む役物ブロック、更には音声駆動部１６５及びスピーカ１６６を含む音声ブロックなども主制御基板９１に接続されている。これらに対しても主制御基板９１からの指令信号により制御が行われている。
【００６５】
又、前記主制御基板９１はＣＲ外部接続端子部９７やＣＲ払出制御部（基板）８８と接続され、ＣＲ払出制御部（基板）８８は球払出装置８０のステッピングモータ１６０と接続される。またＣＲ払出制御部（基板）８８にはインターフェイス基板８９を介してカードサンドユニット３０が接続され、更に遊技機前面の球貸し操作部３１に設けられる度数表示部（基板）３５や球貸出しボタン３２が接続される。そしてＣＲ払出制御部（基板）８８には、遊技盤面に設けられる各種入賞口への遊技球の入賞信号、及びプリペードカード使用による貸し球要求信号に基づいて遊技球の払出経路を変更する球経路変更制御部１６７が設けられる。更に、発射装置制御部（基板）１０４を介して打球発射装置１００も接続されている。
【００６６】
そして主制御基板９１には、入賞検知用スイッチ１１９、セーフ球検知用スイッチ１２１のほか、前述の球払出装置８０に設けられる賞球計数用センサー１５７ａ，１５７ｂが接続され、一方貸し球計数用センサー１５８ａ，１５８ｂ及びモータ位置検出用センサー１５９はＣＲ払出制御部（基板）８８に接続され、これらの検知信号に基づいて詳細は後述するが、球経路変更制御部１６７からＣＲ払出制御部（基板）８８への指令信号により球払出装置８０が、駆動制御されるようになっている。
【００６７】
このように構成されたパチンコ遊技機によれば、遊技盤１４面の各入賞口への遊技球の入賞により主制御基板９１からステッピングモータ１６０へ賞品球の払出信号が送信されると、球誘導回動体１５１ａ及び１５１ｂは図１２中矢示Ａ方向に回転する。そのために一方の球補給管１５０ａより球誘導回動体１５１ａの球受止部１５２ａイ、１５２ａロ又１５２ａハに補給された遊技球は賞品球として賞球排出管１５３ａより排出され、又他方の球補給管１５０ｂより補給された遊技球は賞球排出経路１５３ｂより排出される。
【００６８】
この場合に、前記のようにステッピングモータ軸１６２に取りつけられる方向が図示のように回転方向に６０度異なっているので、２個の遊技球が同時に賞球排出経路１５３ａと賞球排出経路１５３ｂから排出されることなく、交互に排出されることになる。そして賞球排出経路１５３ａ，１５３ｂより排出される賞品球は、各排出経路に設けられる賞球計数用センサー１５７ａ，１５７ｂにより検知され、その計数（カウント）値が各入賞口に対応して定められた賞品球払出個数（例えば、５個、７個あるいは１３個）に達すれば、主制御基板９１からの指令信号によりステッピングモータ１６０の駆動が停止される。
【００６９】
一方、プリペードカード使用により貸し球要求信号がＣＲ払出制御部（基板）８８に入力されると、該ＣＲ払出制御部（基板）８８からステッピングモータ１６０へ貸し球の払出信号が送信される。その結果球誘導回動体１５１ａは今度は逆回転方向（図１２中矢示Ｂ方向）に回転し、一方の球補給管１５０ａより球誘導回動体１５１ａの球受止部１５２ａイ、１５２ａロ又１５２ａハに補給された遊技球は貸し球として貸し球排出管１５４ａより排出され、又他方の球補給管１５０ｂより補給された遊技球は貸し球排出管１５４ｂより排出される。
【００７０】
そして前記のようにステッピングモータ軸１６２に取りつけられる方向が図示のように周方向に６０度異なっているので、この場合にも２個の遊技球が同時に貸し球排出管１５４ａと貸し球排出管１５４ｂから排出されることはなく、交互に排出されることになる。そして貸し球排出管１５４ａ，１５４ｂより排出される貸し球は、各排出管に設けられる貸し球計数用センサー１５８ａ，１５８ｂにより検知され、その計数（カウント）値が遊技機の前面の設けられたプリペードカードユニット３０の金額設定ボタン３８の操作により決定された貸出し金額に見合う個数の遊技球（例えば、２５個、５０個、７５個あるいは１００個）に達すればＣＲ払出制御部（基板）８８からの指令信号によりディスク駆動モータ１６０の駆動が停止される。
【００７１】
図１４は、図１０〜図１２に示す球払出装置の球払出動作の説明図を示している。図１４（ａ）は、払出動作を休止し次の払出動作を待っている時点、又は払出動作中に起こり得る払出装置内部の状態を示している。図１４（ｂ）は、図１４（ａ）に示す状態から賞球払出を行なう際の動作途中の払出装置内部の状態を示している。
【００７２】
球誘導回動体１５１ａは、球誘導回動体本体１７０ａと球受止凹板１７３ａイ、１７３ａロ、１７３ａハとからなる。球誘導回動体本体１７０ａは、複数（この実施例では３箇所）の長さ方向が半径方向であるアーム１７２ａイ、１７２ａロ、１７２ａハを一体的に有してなり、中心部にモータ軸取付孔を有している。モータ軸取付孔にはモータ回転軸１６２が挿着される。前記球受止凹板１７３ａイ、１７３ａロ、１７３ａハは弾性を有する素材（例えば、金属、樹脂、ゴム等）により板状に構成される。
【００７３】
また、例えば、球受止凹板１７３ａイは、一方の端部に該端部が取り付けられるアーム１７２ａイの長さ方向と垂直な板部と、他方の端部に該端部が取り付けられるアーム１７２ａロの長さ方向と垂直な板部と、これら両端の面の間を連結しその中央部が球誘導回動体の中心部へ向かって湾曲する形状とを一体的に有してなる。そして、球受止凹板１７３ａイは隣り合うアーム１７２ａイ及び１７２ａロの外方端の間を、橋渡しするように設けられ、球補給経路１５０ａから補給される遊技球１５５ａを受止して、球誘導回動体１５１ａの回転に伴なってその回転方向へ誘導する。同様に、球受止凹板１７３ａロは隣り合うアーム１７２ａロ及びアーム１７２ａハの間を、球受止凹板１７３ａハは隣り合うアーム１７２ａハ及び１７２ａイの間を橋渡しするように設けられる。
【００７４】
ところで、図１４（ａ）に示すように、払出動作を休止して、次の払出動作を待っている時点、又は、払出動作中には、上方に位置する球受止部１５２ａイは、真上方向から少し貸し球払出回転方向（図中矢示Ｂ方向）へずれた方向へ開口し、遊技球１５５ａも球誘導回動体１５１ａの回転中心の真上から貸し球払出回転方向へずれている場合がある。
【００７５】
上記のように構成されたパチンコ遊技機によれば、このような場合に、次のように払出が行なわれる。球補給経路から補給された遊技球１５５ａは、球受止部１５２ａイに受止され、球誘導回動体１５１の賞球払出方向（図中矢示Ａ方向）の回転に伴なって誘導され、その遊技球１５５ａの上方にある遊技球１５５ｂ、１５５ｃ・・・の下を通過するが、その際に、遊技球１５５ｂの一部が遊技球１５５ａの進路方向に存在し、遊技球１５５ａは上方の遊技球１５５ｂから下向きの力を受ける。そして、弾性を有する素材で構成される球受止凹版１７３ａイは、図１４（ｂ）に示すようにその下向きの力により半径方向内方へたわむように弾性変形するので、遊技球の受止位置はモータ軸との距離が一旦近くなるように変位し、上方にある遊技球１５５ｂ、１５５ｃ・・・の下を通過した後にその受止位置の変位が戻り、さらに誘導されて賞球払出経路１５３ａに払出される。
【００７６】
このようにして遊技球１５５ａは、上方にある遊技球１５５ｂ、１５５ｃ・・・を持ち上げることなく又は少し持上げて移動して賞球として払出されることになる。こうして、遊技球１５５ａの払出の際に、球誘導回動体１５１ａが上方からの球圧により回転を妨げられる方向に受ける力は弱いものになる。
【００７７】
従って、次に払出動作がされる遊技球１５５ａが球誘導回動体１５１ａの回転中心の真上を基準として払出をしようとする回転方向とは逆の回転方向の位置にある状態から払出しをしても、ステッピングモータ１６０への負荷は小さいものとなりその負荷変動も小さく、球誘導回動体１５１ａの回転がスムーズに行なわれる。また、上方からの球圧により球誘導回動体１５１ａが回転不能になり要求された払出が行なわれないという問題は発生しない。
【００７８】
ここでは、賞球払出動作について述べたが、逆に、上方に位置する球受止部１５２ａイ及びそれに受止される遊技球１５５ａが、球誘導回動体１５１ａの回転中心の真上を基準として賞球払出時回転方向（矢示Ａ方向）の位置にある状態から貸し球払出動作をする場合にも、同様にして、モータ負荷及び負荷変動が小さくスムーズな払出動作を行なうものである。一方、本実施例のパチンコ球払出装置が有する他方の球誘導体１５１ｂも前記のようにモータ回転軸１６２に取り付けられる角度が回転方向に６０度ずれている以外は、球誘導回動体１５１ａと等しく構成され、回転誘導中に払出す遊技球が上方の遊技球から下向きの力を受けているときには、その遊技球の受止位置を一旦回転軸と近くなるように変位させて、回転誘導しその遊技球の払出しを行なう。
【００７９】
図１５は、球誘導回動体の変形例を示しており、図１５（ａ）はその正面図、図１５（ｂ）はその側面図を示している。図１５に示す球誘導回動体１８１の構成を以下に説明する。球誘導回動体１８１の中央部にハブ部１８５が設けられ、ハブ部１８５の中央に回転軸１６２が挿着される取付孔が設けられている。前記ハブ部１８５の周囲には長さ方向が半径方向である複数本（ここでは３本）のスポーク１８２イ、１８２ロ、１８２ハ、・・・が前記ハブ部と一体的に設けられ、図示のように２本の球受止腕１８３イＲ及び１８３イＬは夫々の円周方向外方端がスポーク１８２イの半径方向外方端と一体になるように設けられ、同様に、スポーク１８２ロの半径方向外方端には２本の球受止腕１８３ロＲ及び１８３ロＬがスポーク１８２ロと一体的に設けられ、スポーク１８２ハの半径方向外方端には２本の球受止腕１８３ハＲ及び１８３ハＬがスポーク１８２ハと一体的に設けられる。これらの球受止腕１８３イＲ、１８３イＬ、１８３ロＲ、１８３ロＬ、１８３ハＲ、１８３ハＬは、弾性を有する素材で構成される。
【００８０】
球受止腕１８３イＲ、１８３ロＲ及び１８３ハＲは、円周方向（矢示Ａ方向）の面と夫々の受止腕１８３イＲ、１８３ロＲ及び１８３ハＲに略平行な面とを有し、球受止腕１８３イＬ、１８３ロＬ及び１８３ハＬは、逆円周方向（矢示Ｂ方向）の面と夫々の受止腕１８３イＬ、１８３ロＬ、１８３ハＬを支持するスポークと略平行な面とを有する。そして、夫々の球受止腕（例えば１８３イＬ）と隣りのスポークから伸びる相対する位置にある球受止腕（例えば１８３ロＲ）とはその先端間に間隙を有して設けられ、遊技球を受止する球受止部（例えば１５３イ）を構成する。
【００８１】
また、これらの球受止腕１８３イＲ、１８３イＬ、１８３ロＲ、１８３ロＬ、１８３ハＲ及び１８３ハＬは、夫々の球受止部１５３イ、１５３ロ又は１５３ハに受止される遊技球が受ける半径方向外方からの力に応じて、支持するスポーク１８２イ、１８２ロ又は１８２ハの外方端を支点として弾性変形するように構成される。例えば、球受止腕１８３イＬ、１８３ロＲは、図中矢示Ｆ方向の力により鎖線で示すように湾屈する。
【００８２】
このように構成された球誘導回動体１８１を２つ用いて、図１０〜図１４に示す球払出装置において球誘導回動体１５１ａ及び１５１ｂの代わりに用いても良い。そうすれば、図１０〜図１４に示す球誘導回動体１５１ａ及び１５１ｂと同様に、賞球及び貸し球の払出が行なわれ、次に払出動作がされようとする遊技球１５５ａが、球誘導回動体１４１の回転中心の真上を基準として、払出をしようとする回転方向とは逆の回転方向に位置している状態から払出をするにあたり、その遊技球１５５ａの上方にある遊技球１５５ｂ、１５５ｃ・・・が持ち上げられることなく、又は、少し持上げられて、払出される遊技球が移動して要求される払出経路に払出され、球誘導回動体１４１が上方からの球圧によって、回転を妨げられる方向に受ける力が軽減された状態で、払出が行なわれる。
【００８３】
これにより、ステッピングモータ１６０への負荷は小さいものとなり、その負荷の変動も小さく、球誘導回動体１８１の回転がスムーズに行なわれ、また、上方からの球圧により回転不能になり要求された払出が行なわれないという問題は発生しない。
【００８４】
図１６は、球誘導回動体の他の変形例を示しており、図１６（ａ）はその正面図、図１６（ｂ）はそのＤ−Ｄ線断面図、図１６（ｃ）は球圧が負荷されたときの正面図を示している。本実施例の球誘導回動体は、球誘導回動体本体１９１と回転軸挿着部１９４とからなり、これらが一体的に回転する。球誘導回動体本体１９１は、遊技球を受止し該球誘導回動体の回転とともにその回転方向に遊技球を誘導する球受止部１９２イ、１９２ロ、１９２ハ・・・を、周縁に複数（この実施例では３個）有するとともに中央部に回転軸挿着部１９４が設けられる中空部を有する。
【００８５】
また、回転軸挿着部１９４は円筒形状を有し前記球誘導回動体本体１９１の中空部に設けられ、回転軸挿着部１９４の中空部にはモータ回転軸が挿着される。回転軸挿着部１９４は弾性を有する素材（例えば、ゴム又は樹脂）により構成される。
【００８６】
前記回転軸挿着部１９４は弾性を有する素材によって構成されているので、本実施例の球誘導回動体１９１に球受止部１９２イ、１９２ロ又は１９２ハに押力が負荷された場合には、回転軸挿着部１９４においてその押力が負荷される部分が収縮変形する。例えば、図１６（ｃ）に示すように上方（矢示Ｆ方向）から球圧を受けたときには、回転軸挿着部１９４の上部が収縮し球誘導回動体本体１９１が下方に移動する。これにより、夫々の球受止部１９２イ、１９２ロ又は１９２ハも下方に移動する。
【００８７】
このように構成された球誘導回動体１９１を、図１０〜図１４に示す球払出装置において球誘導回動体１５１ａ及び１５１ｂの代わりに用いれば、図１０〜図１４に示す球誘導回動体１５１ａ及び１５１ｂと同様に、次に払出がされる遊技球が、球誘導回動体１９１の回転中心の真上の位置よりも賞球払出時の回転方向にずれている遊技球を貸し球払出経路１５４ａ、１５４ｂへ払出をしようとする場合又は球誘導回動体１９１の回転中心の真上の位置よりも貸し球払出時の回転方向にずれている遊技球を賞球払出経路１５３ａ，１５３ｂへ払出をしようとする場合にも、その遊技球１５５ａの上方にある遊技球１５５ｂ、１５５ｃ及びその上にある図示しない遊技球が持ち上げられることなく、又は、少し持上げられて、払出される遊技球１５５ａが誘導されて要求される払出経路に払出され、球誘導回動体１９１が上方からの球圧のよって、回転を妨げられる方向に受ける力が軽減された状態で、払出が行なわれる。
【００８８】
これにより、ステッピングモータ１６０への負荷は小さいものとなり、負荷の変動も小さいため球誘導回動体１４１の回転がスムーズに行なわれ、また、上方からの球圧により回転不能になり要求された払出が行なわれないという問題は発生しない。
【００８９】
図１７は、他の球払出装置の他の実施例を示しており、（ａ）はその正面図、（ｂ）はその背面図を示している。また図１８は図１７に示す実施例の断面図を示しており、（ａ）は回転軸と直角方向の断面図を示し、（ｂ）は回転軸方向の断面図を示す。この球払出装置の上部には、遊技球払出樋１２２の下流に接続される球補給経路１５０が設けられている。この図において、遊技球払出樋１２２の下流に位置する球補給経路１５０の下方開口端の下方に球誘導回動体２０１が回転自在に設けられ、その中心には可逆転式のステッピングモータ１６０の回転軸１６２が貫通されている。そしてこのステッピングモータ１６０の駆動により前記球誘導回動体２０１は、正転あるいは逆転方向に回転駆動される。
【００９０】
ステッピングモータ回転軸１６２は、図示のようにモータ回転軸受２０４ａ及び２０４ｂに挿通され、夫々のモータ回転軸受２０４ａ及び２０４ｂはその下に弾性体（この実施例ではバネ）２０７ａ、２０７ｂを介して筐体２１０の夫々の回転軸受案内孔２０６ａ、２０６ｂに設置される。
【００９１】
モータ１６０は、弾性体（この実施例ではバネ）２０８ａ〜２０８ｄを介して筐体２１０のモータ支持部２０５に設置され、その脚２０９ａ〜２０９ｄをモータ支持部２０５に設けられた上下に貫通する脚挿通孔２１１ａ〜２１１ｄに挿通されている。
【００９２】
従って、球誘導回動体２０１が上方から力を受けたときには、弾性体２０７ａ、２０７ｂ、２０８ａ〜２０８ｄの変形を伴なって、球誘導回動体２０１、ステッピングモータ１６０、モータ回転軸１６２及びモータ回転軸受２０４ａ及び２０４ｂは、一群となって下方へ移動する。従って、その際には、球誘導回動体２０１は図１８（ａ）に破線で示すように位置する。その力の負荷がなくなったときには、弾性体の反発力によって、ステッピングモータ１６０、モータ回転軸１６２及びモータ回転軸受２０４ａ及び２０４ｂは、上方へ戻る。従って、上方から力を受けていないときには、球誘導回動体２０１は同図に実線で示すように位置する。
【００９３】
そしてこの実施例に示す球払出装置によれば、遊技盤１４面の各入賞口への遊技球の入賞により主制御基板９１からステッピングモータ１６０へ賞品球の払出信号が送信されると、球誘導回動体２０１が図中矢示Ａ方向へ回転し、球補給経路１５０から送給される遊技球は賞品球として賞球払出経路２０３ａに排出され、この時にその賞品球の払出が賞品球計数用センサー２１５で検出される。そしてその払出された個数が各入賞口に対応して定められた賞品球払出個数（例えば、５個、７個、あるいは１３個）に達すれば主制御基板９１からの指令信号によりステッピングモータ１６０の駆動が停止される。
【００９４】
また、プリペードカード使用により貸し球要求払出信号がＣＲ払出制御部（基板）８８に入力されると、該ＣＲ払出制御部（基板）８８からステッピングモータ１６０へ貸し遊技球の払出信号が送信され、球誘導回動体２０１は今度は貸し球払出回転方向に回転し、球補給経路１５０より球誘導回動体２０１の球受止部２０２イ、２０２ロ、２０２ハに補給された遊技球は貸し球として貸し球払出経路２１４より排出される。そして、その貸し球の払出個数は貸し球計数用センサー２１６により計数されることにより所定の払出個数に達すればＣＲ払出制御部（基板）８８からの指令信号によりステッピングモータ１６０の駆動が停止され、貸し球払出動作が終了するものである。
【００９５】
図１９は、図１７及び図１８に示す実施例の球払出動作の説明図を示している。図１９（ａ）は、払出動作を休止して次の払出動作を待っている時点、又は、払出動作中に起こり得る払出装置内部の状態を示している。図１９（ｂ）は、図１９（ａ）に示す状態から賞球払出を行なう際の動作途中の払出装置内部の状態を示している。
【００９６】
払出動作を休止して次の払出動作を待っている時点、又は、貸し球払出動作から賞球払出動作へ移行する時点には、図１９（ａ）に示すように、上方に位置する球受止部２０２イは、真上方向を向いて開口しておらず、真上方向から少し逆転方向（図中矢示Ｂ方向）へずれた方向へ開口する位置にあり、それに伴ない、遊技球１５５ａも球誘導回動体２０１の回転中心の真上から左方へずれている場合がある。
【００９７】
そこから、賞球払出しを行なうには、ステッピングモータ１６０に駆動されて球誘導回動体２０１が賞球払出し回転方向（矢示Ａ方向）に回転すると、遊技球１５５ａは球誘導回動体２０１の球受止部２０２イに誘導されて、球誘導回動体１５１ａの回転中心の真上から貸し球払出し回転方向（矢示Ｂ方向）へ外れた位置から球誘導回動体２０１の真上を通過して賞球払出経路２０３ａに落下する必要がある。
【００９８】
球受止部２０２イに受止されている遊技球１５５ａがそのように移動するに際に、その遊技球１５５ａの上方にある遊技球１５５ｂの一部が、図１９（ａ）において二点鎖線の円弧で示す遊技球１５５ａの経路上部に存在しているので、遊技球１５５ａは上の遊技球１５５ｂから下向きの力を受けながら移動することになる。
【００９９】
しかしながら、前記のように構成された実施例によれば、球誘導回動体２０１が上方から力を受けた場合には、球誘導回動体２０１、ステッピングモータ１６０、モータ回転軸１６２及びモータ回転軸受２０４ａ、２０４ｂが一群となって下方に移動するので、払出が行なわれる遊技球１５５ａはその上方にある遊技球１５５ｂ、１５５ｃ・・・の下を通過する際に円弧形軌道から一旦下方に外れるようにして賞球払出時回転方向（矢示Ａ方向）へ誘導されて払出される。即ち、遊技球１５５は、その中心が図１９（ｂ）に鎖線で示す軌跡を描くように移動する。これにより遊技球１５５ａは、上方にある遊技球１５５ｂ、１５５ｃ・・・を持ち上げることなく、又は少し持ち上げて移動して賞球として払出されることになるので、その際に、球誘導回動体２０１が上方の遊技球から受ける回転を妨げる方向の力は、軽減されることとなる。
【０１００】
ここでは、賞球払出動作について述べたが、逆に、上方に位置する球受止部２０２イ及びそれに受止される遊技球１５５ａが、球誘導回動体１５１ａの回転中心の真上を基準として賞球払出時回転方向（矢止Ａ方向）の位置にある状態から貸し球払出動作をする場合にも、同様にして、モータ負荷及び負荷の変動が小さくスムーズな払出動作を行なうものである。
【０１０１】
従って、次に払出動作がされる遊技球１５５ａが球誘導回動体２０１の回転中心の真上を基準として払出をしようとする回転方向とは逆の回転方向の位置にある状態から払出しをしても、ステッピングモータ１６０への負荷は小さいものとなり、その負荷の変動も小さく、球誘導回動体２０１の回転がスムーズに行なわれる。また、上方からの球圧により球誘導回動体２０１が回転不能になり要求された払出が行なわれないという問題は発生しない。
【０１０２】
以上実施例について説明したが、本発明は上記した実施の形態に何ら限定されるものではなく、本発明の趣旨を逸脱しない範囲で種々の改変が可能である。例えば、本発明のパチンコ遊技機はプリペードカード式のものに限定されるものではなく、パチンコ遊技機は、パチンコ球払出装置によって、現金が投入された場合に貸し球の払出を行ない、入賞口に遊技球が入賞すると賞球の払出を行なうように構成しても良い。また、球補給経路の形態や数、球誘導回動体の形態、数及びその周縁に設けられている球受止部の数は設計に応じて変更可能であり、球補給経路及び球誘導回動体の数又は球受止部の数が多い程ディスク駆動モータによる遊技球の払出動作は速やかに行われることになる。
【０１０３】
一方、上記の実施例において、球受止部に受止位置変位手段として、金属、樹脂又はゴム材料のブリッジ形状の板又は金属、樹脂又はゴム材料の球受止腕を設けたものを示しているが、これらの形態、材料に限定されるものではないことは言うまでもない。さらに、モータ回転軸受及びモータと筐体との間にバネを介して構成した賞球払出機構を示しているが、これもバネに限定されるものではなく、押力を受けたときには収縮し及びその押力から開放されたときには復元する弾性部材ならば他にも用いることができる。
【０１０４】
その他、球抜き装置１３０の球抜き開口部１３１を閉鎖する一方、パチンコ遊技機の管理者により球抜き操作されて動作する球抜き装置１３０における作動ピン１３９により球抜き状態を検出する球抜き検出スイッチを設ける一方、この球抜き検出スイッチから検出信号に基づいて球抜き条件となった場合に、球払出し装置を貸し球払出経路側又は賞球払出経路側に払出状態にする球抜き払出制御部を設けたパチンコ遊技機とすることも可能である。
【図面の簡単な説明】
【０１０５】
【図１】本発明の一実施の形態におけるカード式パチンコ遊技機の正面図である
【図２】図１に示したパチンコ遊技機の外観斜視図である。
【図３】このパチンコ遊技機の遊技盤面の拡大正面図及び部材の構成図である。
【図４】図１に示したパチンコ遊技機の裏面図である。
【図５】その外観斜視図である。
【図６】遊技盤の裏面に設けられる入賞球（セーフ球）の流出経路を説明する図である。
【図７】このパチンコ遊技機における遊技内容を説明する制御フローチャートである。
【図８】このパチンコ遊技機における賞品球払出機構及び入賞球（セーフ球）排出機構における遊技球の流出経路を示した図である。
【図９】図８に示した賞品球払出機構及びそれに隣接して設けられる球抜機構の構成を拡大して示した図である。
【図１０】球払出装置の実施例の正面図である。
【図１１】球払出装置の実施例の外観図であり、（ａ）はその側面図であり、（ｂ）はその底面図である。
【図１２】図１０及び図１１に示した球払出装置の線断面図であり、（ａ）はＨ−Ｈ線断面図、（ｂ）はＩ−Ｉ線断面図、（ｃ）はＪ−Ｊ線断面図である。
【図１３】このパチンコ遊技機における制御ブロック図である。
【図１４】図１０〜図１２に示す球払出装置の動作説明図であり、（ａ）は、払出動作を休止し次の払出動作を待っている時点、又は払出動作中に起こり得る払出装置内部の状態、（ｂ）は、（ａ）に示す状態から賞球払出を行なう際の動作途中の払出装置内部の状態を示す図である。
【図１５】球誘導回動体の変形例を示す図であり、（ａ）はその正面図、（ｂ）はその側面図である。
【図１６】球誘導回動体の他の変形例を示す図であり、（ａ）はその正面図、（ｂ）はそのＤ−Ｄ線断面図、（ｃ）は球圧が負荷されたときの正面図である。
【図１７】他の球払出装置の他の実施例を示しており、（ａ）はその正面図、（ｂ）はその背面図を示している。
【図１８】図１７に示す実施例の断面図を示しており、（ａ）は回転軸と直角方向の断面図を示し、（ｂ）は回転軸方向の断面図を示す。
【図１９】図１７及び図１８に示す実施例の球払出動作の説明図であり、（ａ）は、払出動作を休止して次の払出動作を待っている時点、又は、払出動作中に起こり得る払出装置内部の状態を示す図、（ｂ）は、（ａ）に示す状態から賞球払出を行なう際の動作途中の球払出装置内部の状態を示す図である。
【図２０】従来の球払出装置の断面図であり、（ａ）は球払出装置の払出動作休止時又は払出動作中の状態を示す図、（ｂ）は（ａ）に示す状態から賞球払出を行なう際の動作途中の球払出装置内部の状態を示す図である。
【符号の説明】
【０１０６】
１０ カード式パチンコ遊技機
３０ 玉貸機（プリペードカードユニット）
５０ 特別図柄表示装置
７７ 賞球タンク
８０ 球払出装置
１５０（１５０ａ，１５０ｂ） 球補給経路
１５１ａ、１５１ｂ 球誘導回動体
１５２ａイ，１５２ａロ，１５２ａハ 球受止部
１５２ｂイ、１５２ｂロ、１５２ｂハ 球受止部
１５３ａ，１５３ｂ 賞球排出経路
１５４ａ，１５４ｂ 貸し球排出経路
１５５ａ，１５５ｂ，１５５ｃ・・・ 遊技球
１５７ａ，１５７ｂ 賞球計数用センサー
１５８ａ，１５８ｂ 貸し球計数用センサー
１６７ 球経路変更制御部
１７１ａ，１７１ｂ 球誘導回動体本体
１７３ａイ〜１７３ａハ 球受止凹板
１８１ 球誘導回動体
１８２イ、１８２ロ、１８２ハ スポーク
１８３イＲ、１８３イＬ 球受止腕
１８３ロＲ、１８３ロＬ 球受止腕
１８３ハＲ、１８３ハＬ 球受止腕
１８５ ハブ部
１９１ 球誘導回動体本体
１９２ 球受止部
１９４ 回転軸挿着部
２０１ 球誘導回動体
２０２イ、２０２ロ、２０２ハ 球受止部
２０４ａ、２０４ｂ モータ回転軸受
２０５ モータ支持部
２０７ａ、２０７ｂ 弾性体
２０８ａ、２０８ｂ、２０８ｃ、２０８ｄ 弾性体
２０９ａ、２０９ｂ、２０９ｃ、２０９ｄ 支持脚
２１０ パチンコ球払出装置の筐体
２１１ａ、２１１ｂ、２１１ｃ、２１１ｄ 脚挿通孔
【図１】
0004457131.tif 000002
【図２】
0004457131.tif 000003
【図３】
0004457131.tif 000004
【図４】
0004457131.tif 000005
【図５】
0004457131.tif 000006
【図６】
0004457131.tif 000007
【図７】
0004457131.tif 000008
【図８】
0004457131.tif 000009
【図９】
0004457131.tif 000010
【図１０】
0004457131.tif 000011
【図１１】
0004457131.tif 000012
【図１２】
0004457131.tif 000013
【図１３】
0004457131.tif 000014
【図１４】
0004457131.tif 000015
【図１５】
0004457131.tif 000016
【図１６】
0004457131.tif 000017
【図１７】
0004457131.tif 000018
【図１８】
0004457131.tif 000019
【図１９】
0004457131.tif 000020
【図２０】
0004457131.tif 000021